(57)【要約】【課題】  テキスト情報の取り扱い困難なシステムにおいても、該テキスト情報の取り扱いを可能とする。【解決手段】  携帯電話機１で、電話帳に登録されている情報、スケジュール帳に登録されている情報、メモリ３３に記憶されている電子メールコンテンツや静止画像コンテンツ等の種類の異なる情報を１枚の静止画像に纏めて画像化処理し、近距離無線通信アクセスポイント４を介して、ホームネットワーク３に接続されているメディアレンダラ２に送信する。メディアレンダラ２は、携帯電話機１で画像化された上記各種情報を表示装置５に表示する。これにより、ユーザにより入力されたスケジュール情報や、発着信した電子メールの電子メール情報等のテキスト情報も画像情報として取り扱うことができるため、テキスト情報の取り扱い困難なシステムにおいても、該テキスト情報の取り扱いを可能とすることができる。【選択図】  図１
2008294716.tif 000002
【特許請求の範囲】
【請求項１】
通信手段と、
少なくとも電話番号を含む各ユーザ毎の個人情報が記憶された電話帳メモリと、
ユーザにより入力されたスケジュール情報、画像情報、発着信した電子メールの電子メール情報のうち、一つ或いは複数の情報が記憶された情報メモリと、
上記通信手段を介して電話着信があった際に、当該電話着信時に通知される発信元となるユーザの電話番号に基づいて上記電話帳メモリを検索することで、当該着信した電話の発信元となるユーザを特定するユーザ特定手段と、
上記電話帳メモリ及び上記情報メモリに記憶されている上記各情報のうち、上記ユーザ特定手段で特定されたユーザに関連する情報を検索する関連情報検索手段と、
上記関連情報検索手段により、上記電話帳メモリ及び上記情報メモリから検索された各情報を纏めて画像化する情報画像化手段と、
上記情報画像化手段が上記各情報の画像化を行うことで形成された画像情報を、該画像情報を取り扱う外部機器に送信するように上記通信手段を制御する制御手段と
を有する情報処理装置。
【請求項２】
請求項１に記載の情報処理装置であって、
上記電話帳メモリには、各ユーザ毎の電子メールアドレスが記憶されており、
上記ユーザ特定手段は、上記通信手段を介して電子メールの着信があった際に、当該着信した電子メールに付されている発信元となるユーザの電子メールアドレスに基づいて上記電話帳メモリを検索することで、当該着信した電子メールの発信元となるユーザを特定し、
上記関連情報検索手段は、上記電話帳メモリ及び上記情報メモリに記憶されている上記各情報のうち、上記ユーザ特定手段で特定されたユーザに関連する情報を検索し、
上記情報画像化手段は、上記着信した電子メールの情報と、上記関連情報検索手段により上記電話帳メモリ及び上記情報メモリから検索された各情報とを纏めて画像化すること
を特徴とする情報処理装置。
【請求項３】
請求項２に記載の情報処理装置であって、
各ユーザ毎の電子メールの送信履歴を記憶する電子メール送信履歴メモリを有し、
上記制御手段は、上記ユーザ特定手段で特定されたユーザに対する所定期間内における電子メールの送信回数を上記電子メール送信履歴メモリから検出すると共に、この電子メール送信履歴メモリから検出した上記送信回数に対応する当該電子メールの重要度を決定し、この決定した重要度が所定以上の値の場合に、上記情報画像化手段で形成された画像情報を、該画像情報を取り扱う外部機器に送信するように上記通信手段を制御すること
を特徴とする情報処理装置。
【請求項４】
請求項３に記載の情報処理装置であって、
当該情報処理装置の周囲の環境音量を検出する環境音量検出手段を有し、
上記制御手段は、上記電子メールの重要度と共に、上記環境音量検出手段で検出された上記周囲の環境音量に対応する環境音量度を検出し、上記電子メールの重要度が、上記環境音量度よりも大きな値の場合に、上記情報画像化手段で形成された画像情報を、該画像情報を取り扱う外部機器に送信するように上記通信手段を制御すること
を特徴とする情報処理装置。
【請求項５】
請求項２から請求項４のうち、いずれか一項に記載の情報処理装置であって、
上記制御手段は、当該情報処理装置の操作手段に設けられている所定のキーに対して、上記外部機器に表示されている電子メール情報の表示内容を変更するための機能を割り当て、
上記情報画像化手段は、上記制御手段により上記所定のキーに対して割り当てられた機能を示す情報を、上記着信した電子メールの情報と、上記関連情報検索手段により上記電話帳メモリ及び上記情報メモリから検索された各情報と共に纏めて画像化すると共に、ユーザにより上記操作手段が操作された際に、当該操作されたキーに対して割り当てられている機能に対応して、上記画像化する電子メール情報を変更すること
を特徴とする情報処理装置。
【請求項６】
請求項１に記載の情報処理装置であって、
上記電話帳メモリには、各ユーザ毎の電子メールアドレスが記憶されており、
上記ユーザ特定手段は、現在時刻が、上記情報メモリに記憶されているスケジュール情報で示されるスケジュールの通知時刻となった際に、当該スケジュール情報の記載内容に基づいて該スケジュールに関連するユーザを特定し、
上記関連情報検索手段は、上記電話帳メモリから、上記ユーザ特定手段で特定された、上記スケジュールに関連するユーザの電話番号及び電子メールアドレスを検索し、
上記制御手段は、当該情報処理装置の操作手段に設けられている所定のキーに対して、上記関連情報検索手段で検索された上記ユーザに対する電話発信を指示する機能、及び上記ユーザに対する電子メールの作成を指示する機能を割り当て、
上記情報画像化手段は、現在時刻が、上記情報メモリに記憶されているスケジュール情報で示されるスケジュールの通知時刻となった際に、当該スケジュールを示す情報と、上記制御手段により上記所定のキーに対して割り当てられた上記機能を示す情報とを纏めて画像化すること
を特徴とする情報処理装置。
【請求項７】
請求項６に記載の情報処理装置であって、
上記制御手段は、上記操作手段の、上記電話発信を指示する機能が割り当てられたキー操作を検出した際に、この操作されたキーに対応するユーザの電話番号を上記電話帳メモリから検出し、この検出した電話番号に対して電話発信を行うように上記通信手段を制御し、上記操作手段の、上記電子メールの作成を指示する機能が割り当てられたキー操作を検出した際に、この操作されたキーに対応するユーザの電子メールアドレスを上記電話帳メモリから検出し、この検出した電子メールアドレスを入力した状態の電子メール作成画面を当該情報処理装置の表示手段に表示制御すること
を特徴とする情報処理装置。
【請求項８】
請求項１に記載の情報処理装置であって、
上記制御手段は、所定のネットワークを介して所定のサーバ装置からニュースの表題情報を取り込むように上記通信手段を制御すると共に、当該情報処理装置の操作手段に設けられている所定のキーに対して、上記表題情報の取り込みを行った各ニュースの内容情報の表示を指定する機能を割り当てると共に、上記操作手段のキー操作を検出した際に、この操作されたキーに対応するニュースの内容情報を、上記サーバ装置から取り込むように上記通信手段を制御し、
上記情報画像化手段は、上記制御手段により上記所定のキーに対して割り当てられた上記機能を示す情報を、上記関連情報検索手段により上記電話帳メモリ及び上記情報メモリから検索された各情報と共に纏めて画像化し、上記通信手段を介して上記操作されたキーに対応するニュースの内容情報が取り込まれた際に、この取り込まれたニュースの内容情報を画像化すること
を特徴とする情報処理装置。
【請求項９】
ユーザ特定手段が、通信手段を介して電話着信があった際に、当該電話着信時に通知される発信元となるユーザの電話番号に基づいて、少なくとも電話番号を含む各ユーザ毎の個人情報が記憶された電話帳メモリを検索することで、当該着信した電話の発信元となるユーザを特定するステップと、
関連情報検索手段が、ユーザにより入力されたスケジュール情報、画像情報、発着信した電子メールの電子メール情報のうち、一つ或いは複数の情報が記憶された情報メモリ、及び上記電話帳メモリに記憶されている上記各情報のうち、上記ステップで特定されたユーザに関連する情報を検索するステップと、
情報画像化手段が、上記ステップで、上記情報メモリ及び上記電話帳メモリから検索された各情報を纏めて画像化するステップと、
制御手段が、上記ステップで上記各情報の画像化を行うことで形成された画像情報を、該画像情報を取り扱う外部機器に送信するように上記通信手段を制御するステップと
を有する情報処理方法。
【請求項１０】
通信手段を介して電話着信があった際に、当該電話着信時に通知される発信元となるユーザの電話番号に基づいて、少なくとも電話番号を含む各ユーザ毎の個人情報が記憶された電話帳メモリを検索することで、当該着信した電話の発信元となるユーザを特定するユーザ特定手段としてコンピュータを機能させ、
ユーザにより入力されたスケジュール情報、画像情報、発着信した電子メールの電子メール情報のうち、一つ或いは複数の情報が記憶された情報メモリ、及び上記電話帳メモリに記憶されている上記各情報のうち、コンピュータを上記ユーザ特定手段として機能させることで特定されたユーザに関連する情報を検索する関連情報検索手段としてコンピュータを機能させ、
コンピュータを上記関連情報検索手段として機能させることで上記情報メモリ及び上記電話帳メモリから検索された各情報を纏めて画像化する情報画像化手段としてコンピュータを機能させ、
コンピュータを上記情報画像化手段として機能させることで、上記画像化された各情報の画像情報を、該画像情報を取り扱う外部機器に送信するように上記通信手段を制御する制御手段としてコンピュータを機能させること
を特徴とする情報処理プログラム。
【請求項１１】
通信手段と、
少なくとも電話番号を含む各ユーザ毎の個人情報が記憶された電話帳メモリと、
ユーザにより入力されたスケジュール情報、画像情報、発着信した電子メールの電子メール情報のうち、一つ或いは複数の情報が記憶された情報メモリと、
上記通信手段を介して電話着信があった際に、当該電話着信時に通知される発信元となるユーザの電話番号に基づいて上記電話帳メモリを検索することで、当該着信した電話の発信元となるユーザを特定するユーザ特定手段と、
上記電話帳メモリ及び上記情報メモリに記憶されている上記各情報のうち、上記ユーザ特定手段で特定されたユーザに関連する情報を検索する関連情報検索手段と、
上記関連情報検索手段により、上記電話帳メモリ及び上記情報メモリから検索された各情報を纏めて画像化する情報画像化手段と、
上記情報画像化手段が上記各情報の画像化を行うことで形成された画像情報を、該画像情報を取り扱う外部機器に送信するように上記通信手段を制御する制御手段と
を有する携帯端末装置。
【発明の詳細な説明】
【技術分野】
【０００１】
本発明は、テキスト情報や画像情報等の様々な情報を画像化して取り扱うことで、画像情報の取り扱いは可能であるが、テキスト情報の取り扱いが困難なシステムにおいても、該テキスト情報の取り扱いを可能とした情報処理装置、情報処理方法、情報処理プログラム、及び携帯端末装置に関する。
【背景技術】
【０００２】
特開２００２−２７１５５８号の公開特許公報（特許文献１）に、画像読取装置及び移動通信端末を用いて、配信先に画像データと同時に当該画像データに関するコメント等のテキストデータを送信することを目的とした画像配信システムが開示されている。
【０００３】
この画像配信システムの場合、まず、デジタル複写機が、原稿を読み取って近距離通信により携帯電話に画像データを送信する。携帯電話は、デジタル複写機から画像データを受信すると、文字入力を受け付けてテキストデータを作成し、電子メールアドレスの入力を受け付け、上記画像データ、テキストデータ及び電子メールアドレスを含む電子メールデータを作成し、通信ネットワークを介して通信端末のメールサーバに送信する。これにより、電子メールを用いて、配信先に対して画像データと共に当該画像データに関するコメント等のテキストデータを送信することができる。
【０００４】
ここで、近年において、動画像、音楽、静止画像の各コンテンツを、ホームネットワークを介して相互に接続されたオーディオ／ビジュアル機器、モバイル機器、パーソナルコンピュータ装置等の異なる機器間で共有可能とするための技術的なガイドラインであるデジタルリビングネットワークアライアンスガイドライン（＝ＤＬＮＡガイドライン、DLNA：Digital Living Network Alliance：登録商標）が知られている。このＤＬＮＡガイドラインに準拠した機器同士であれば、特別な設定を必要とすることなく、相互接続してコンテンツの共有が可能となる。
【０００５】
【特許文献１】特開２００２−２７１５５８号公報（第８頁、図５）
【発明の開示】
【発明が解決しようとする課題】
【０００６】
しかし、ＤＬＮＡガイドラインは、動画像、音楽、静止画像の各コンテンツの取り扱いを前提としている。このため、ＤＬＮＡガイドラインに準拠した機器同士において、テキスト情報を取り扱うことが困難となる問題があった。
【０００７】
本発明は、上述の課題に鑑みてなされたものであり、上記ＤＬＮＡガイドラインに準拠したシステムのように、テキスト情報を取り扱うことが困難なシステムにおいても、該テキスト情報の取り扱いを可能とすることができるような情報処理装置、情報処理方法、情報処理プログラム、及び携帯端末装置の提供を目的とする。
【課題を解決するための手段】
【０００８】
本発明に係る情報処理装置は、上述の課題を解決するための手段として、
通信手段と、
少なくとも電話番号を含む各ユーザ毎の個人情報が記憶された電話帳メモリと、
ユーザにより入力されたスケジュール情報、画像情報、発着信した電子メールの電子メール情報のうち、一つ或いは複数の情報が記憶された情報メモリと、
上記通信手段を介して電話着信があった際に、当該電話着信時に通知される発信元となるユーザの電話番号に基づいて上記電話帳メモリを検索することで、当該着信した電話の発信元となるユーザを特定するユーザ特定手段と、
上記電話帳メモリ及び上記情報メモリに記憶されている上記各情報のうち、上記ユーザ特定手段で特定されたユーザに関連する情報を検索する関連情報検索手段と、
上記関連情報検索手段により、上記電話帳メモリ及び上記情報メモリから検索された各情報を纏めて画像化する情報画像化手段と、
上記情報画像化手段が上記各情報の画像化を行うことで形成された画像情報を、該画像情報を取り扱う外部機器に送信するように上記通信手段を制御する制御手段と
を有する。
【０００９】
本発明に係る情報処理方法は、上述の課題を解決するための手段として、
ユーザ特定手段が、通信手段を介して電話着信があった際に、当該電話着信時に通知される発信元となるユーザの電話番号に基づいて、少なくとも電話番号を含む各ユーザ毎の個人情報が記憶された電話帳メモリを検索することで、当該着信した電話の発信元となるユーザを特定するステップと、
関連情報検索手段が、ユーザにより入力されたスケジュール情報、画像情報、発着信した電子メールの電子メール情報のうち、一つ或いは複数の情報が記憶された情報メモリ、及び上記電話帳メモリに記憶されている上記各情報のうち、上記ステップで特定されたユーザに関連する情報を検索するステップと、
情報画像化手段が、上記ステップで、上記情報メモリ及び上記電話帳メモリから検索された各情報を纏めて画像化するステップと、
制御手段が、上記ステップで上記各情報の画像化を行うことで形成された画像情報を、該画像情報を取り扱う外部機器に送信するように上記通信手段を制御するステップと
を有する。
【００１０】
また、本発明に係る情報処理プログラムは、上述の課題を解決するために、
通信手段を介して電話着信があった際に、当該電話着信時に通知される発信元となるユーザの電話番号に基づいて、少なくとも電話番号を含む各ユーザ毎の個人情報が記憶された電話帳メモリを検索することで、当該着信した電話の発信元となるユーザを特定するユーザ特定手段としてコンピュータを機能させ、
ユーザにより入力されたスケジュール情報、画像情報、発着信した電子メールの電子メール情報のうち、一つ或いは複数の情報が記憶された情報メモリ、及び上記電話帳メモリに記憶されている上記各情報のうち、コンピュータを上記ユーザ特定手段として機能させることで特定されたユーザに関連する情報を検索する関連情報検索手段としてコンピュータを機能させ、
コンピュータを上記関連情報検索手段として機能させることで上記情報メモリ及び上記電話帳メモリから検索された各情報を纏めて画像化する情報画像化手段としてコンピュータを機能させ、
コンピュータを上記情報画像化手段として機能させることで、上記画像化された各情報の画像情報を、該画像情報を取り扱う外部機器に送信するように上記通信手段を制御する制御手段としてコンピュータを機能させる。
【００１１】
本発明に係る携帯端末装置は、上述の課題を解決するための手段として、
通信手段と、
少なくとも電話番号を含む各ユーザ毎の個人情報が記憶された電話帳メモリと、
ユーザにより入力されたスケジュール情報、画像情報、発着信した電子メールの電子メール情報のうち、一つ或いは複数の情報が記憶された情報メモリと、
上記通信手段を介して電話着信があった際に、当該電話着信時に通知される発信元となるユーザの電話番号に基づいて上記電話帳メモリを検索することで、当該着信した電話の発信元となるユーザを特定するユーザ特定手段と、
上記電話帳メモリ及び上記情報メモリに記憶されている上記各情報のうち、上記ユーザ特定手段で特定されたユーザに関連する情報を検索する関連情報検索手段と、
上記関連情報検索手段により、上記電話帳メモリ及び上記情報メモリから検索された各情報を纏めて画像化する情報画像化手段と、
上記情報画像化手段が上記各情報の画像化を行うことで形成された画像情報を、該画像情報を取り扱う外部機器に送信するように上記通信手段を制御する制御手段と
を有する。
【００１２】
このような本発明は、電話着信があった際に、当該電話着信時に通知される発信元となるユーザの電話番号に基づいて電話帳メモリを検索することで、当該着信した電話の発信元となるユーザを特定すると共に、電話帳メモリ及び情報メモリに記憶されている各情報のうち、上記特定したユーザに関連する情報を検索する。そして、この電話帳メモリ及び情報メモリから検索した各情報を纏めて画像化し、この画像情報を、該画像情報を取り扱う外部機器に送信する。
【００１３】
これにより、ユーザにより入力されたスケジュール情報や、発着信した電子メールの電子メール情報等のテキスト情報も画像情報として取り扱うことができるため、例えばＤＬＮＡガイドラインに準拠したシステムのように、テキスト情報を取り扱うことが困難なシステムにおいても、該テキスト情報の取り扱いを可能とすることができる。
【発明の効果】
【００１４】
本発明は、例えばＤＬＮＡガイドラインに準拠したシステムのように、テキスト情報を取り扱うことが困難なシステムにおいても、該テキスト情報の取り扱いを可能とすることができる。
【発明を実施するための最良の形態】
【００１５】
本発明は、例えばデジタル・リビング・ネットワーク・アライアンス・ガイドライン（＝ＤＬＮＡガイドライン、DLNA：Digital Living Network Alliance：登録商標）に準拠した各機器で構成された情報処理システムに適用することができる。
【００１６】
［ＤＬＮＡガイドラインの概要］
この本発明の実施の形態となる情報処理システムを構成する各機器が準拠しているＤＬＮＡガイドライン ｖ１では、デバイスモデルとしてＤＭＳ(Digital Media Server)とＤＭＰ（Digital Media Player）という２つのモデルが定義されている。ＤＭＳはＵＰｎＰ（Universal Plug and Play：登録商標）のメディアサーバが内蔵されたサーバ用のデバイスモデル、ＤＭＰはメディアクライアントとコントロールポイントと呼ばれるユーザが操作するソフトウェアが内蔵されたクライアント用のデバイスモデルとなっている。ＤＭＳとＤＭＰの各機能をどの機器に持たせるかは自由となっており、両方の機能を１台の機器に持たせることも可能となっている。
【００１７】
ＤＬＮＡガイドライン ｖ１．１では、これらに加え、ＤＭＣ(Digital Media Controller)、ＤＭＲ(Digital Media Renderer)、ＤＭＰｒ(Digital Media Printer)の３つのデバイスモデルが新たに定義されている。ＤＭＣはコントロールポイントだけを独立させたデバイスモデルで、ＤＭＲはユーザインターフェイスを持たない再生プレーヤのデバイスモデルとなっている。これにより、リモートコントローラ機能のみを有するＤＬＮＡガイドライン対応デバイスや、ＤＭＣによりコントロールされ、再生だけを行うＤＬＮＡガイドライン対応デバイス等を実現可能となっている。
【００１８】
ＤＬＮＡガイドラインでは、ネットワークとしてイーサネット（Ethernet：登録商標）、或いは無線ＬＡＮ（LAN：Local Area Network）を、通信プロトコルとしてＴＣＰ／ＩＰ（Transmission Control Protocol/Internet Protocol）を、アドレスの動的割り当てにＤＨＣＰ（Dynamic Host Configuration Protocol）やオートＩＰをそれぞれ用いるように規定されている。また、ＤＬＮＡガイドラインでは、コンテンツの送受信にＨＴＴＰ（HyperText Transfer Protocol）を、ＤＭＳ機器とＤＭＰ機器との間のメッセージの記述にはＸＭＬ（Extensible Markup Language）を、利用可能なサーバの検索やコンテンツ一覧の取得にはＵＰｎＰ（Universal Plug and Play：登録商標）を、それぞれ用いるように規定されている。
【００１９】
また、ＤＬＮＡガイドラインでは、リニアＰＣＭ（Linear Pulse Code Modulation）、ＭＰ３（MPEG-1 Audio Layer-3）、ＡＡＣ（Advanced Audio Coding）、ＡＴＲＡＣ３Ｐｌｕｓ（登録商標、ATRAC：Adaptive TRansform Acoustic Coding）、ＷＭＡ（登録商標、Windows Media Audio）等の音声コンテンツ、ＪＰＥＧ（Joint Photographic Experts Group）の静止画コンテンツ、ＭＰＥＧ−２（Moving Picture Experts Group phase 2）の動画コンテンツは、必ず取り扱い可能とするように規定されている。
【００２０】
換言すれば、ＤＬＮＡガイドラインに準拠した各機器間においては、テキスト情報の共有が困難となっている。当該実施の形態の情報処理システムでは、以下に説明するようにテキスト情報を画像化して取り扱うことで、ＤＬＮＡガイドラインに準拠した各機器間におけるテキスト情報の共有を可能としている。
【００２１】
［システム構成］
この実施の形態となる情報処理システムは、ＤＬＮＡガイドラインに準拠して動作する＋ＰＵ＋機能（Push Controller：プッシュコントローラ）を備えた携帯電話機１と、上記ＤＭＲ機能を備えたメディアレンダラ２とを有している。この携帯電話機１及びメディアレンダラ２は、例えば無線ＬＡＮやブルートゥース（Bluetooth：登録商標）等の近距離無線通信のアクセスポイント４（近距離無線通信ＡＰ）及びホームネットワーク３（家庭内ＬＡＮ）を介して相互に接続されている。また、家庭内ＬＡＮ３は、携帯電話機１の複数の基地局６が接続されたコミュニケーションネットワーク７やインターネット８にも接続されている。
【００２２】
後述するが、携帯電話機１は、テキスト情報や画像情報等の表示情報（表示を行う情報の意）を纏めて１枚或いは複数枚の画像情報を形成し、この画像情報を家庭内ＬＡＮ３を介してメディアレンダラ２に送信し、また、ユーザから指定された場合に、基地局６、コミュニケーションネットワーク７及びインターネット８を介して、該インターネット８に接続されたサーバ装置９にアクセスし、例えばニュースの表題情報やニュースの内容情報を取り込むようになっている。
【００２３】
メディアレンダラ２は、携帯電話機１から近距離無線送信される上記画像情報を受信する通信部１１と、通信部１１で取り込んだ画像情報に対して所定の画像処理を施す画像情報処理部１２と、上述のＤＬＮＡガイドラインで規定されているＤＭＲ機能を実現するためのＤＭＲプログラム等が記憶されたメモリ１３と、上記画像情報処理部１２で画像処理が施された画像情報を表示装置５に表示制御する制御部１４とを有している。
【００２４】
携帯電話機１は、図２に示すようにメモリ３３に、ＤＬＮＡガイドラインで規定されている＋ＰＵ＋機能を実現するための＋ＰＵ＋プログラム、及びテキスト情報や画像情報等を纏めた１枚或いは複数枚の画像情報を形成するための情報画像化処理プログラム等を有している。
【００２５】
この他、携帯電話機１は、上記基地局６との間で音声通話、テレビ電話通話、電子メール、Ｗｅｂデータ（Web：World Wide Web）等の無線通信を行うアンテナ２１及び通信回路２２と、受話音声等を出力するためのスピーカ部２３と、送話音声等を集音するマイクロホン部２４と、操作メニュー、電子メール、画像（静止画像及び動画像）等を表示するための表示部２５と、所望のメニューやメッセージ等の入力操作を行うための操作部２６とを有している。
【００２６】
また、携帯電話機１は、発着信等を光で知らせるための発光部２７（LED：Light Emitting Diode）と、所望の被写体の動画像或いは静止画像を撮像するためのカメラ部２８と、当該携帯電話機１の筐体を振動させて発着信等を知らせるためのバイブレーションユニット２９と、時刻をカウントするタイマ３０と、上記近距離無線通信ＡＰ４との間で近距離無線通信を行うための近距離無線通信アンテナ３１及び近距離無線通信部３２と、コミュニケーションプログラムや各種アプリケーションプログラムの他、これら各アプリケーションプログラムで取り扱われる各種データ（コンテンツ）等が記憶されたメモリ３３と、当該携帯電話機全体の動作を制御する制御部３４とを有している。
【００２７】
メモリ３３には、上記＋ＰＵ＋プログラム及び情報画像化処理プログラムの他、上記基地局６を介した無線通信処理、及び上記近距離無線通信部３２を介して近距離無線通信を行うための通信処理プログラム（コミュニケーションプログラム）と、カメラ部８の撮像制御を行うカメラ制御プログラムと、コミュニケーションネットワーク７やインターネット８等の所定のネットワーク上に設けられたサーバ装置９上で公開されているＷｅｂページを閲覧するためのＷｅｂブラウジングプログラムと、電子メールの作成や送受信を制御するための電子メール管理プログラムと、ユーザのスケジュールが登録されたスケジュール帳の管理を行うためのスケジュール帳管理プログラムと、電話帳の管理を行うための電話帳管理プログラムと、音楽コンテンツの再生を行うための音楽プレーヤプログラムとが記憶されている。
【００２８】
また、メモリ３３には、ユーザの所望のスケジュールが登録されるスケジュール帳と、ユーザの知人や友人等の静止画像、住所、電話番号、電子メールアドレス、生年月日等が登録された電話帳と、音楽プレーヤプログラムに基づいて再生される音楽コンテンツと、カメラ制御プログラムのビューワ機能に基づいて再生される静止画像コンテンツ及び動画像コンテンツと、送受信された電子メールコンテンツと、電話及び電子メールの発着信履歴等が記憶されている。
【００２９】
［システム動作］
次に、このような構成を有する当該実施の形態の情報処理システムのシステム動作を、主に携帯電話機１の動作に基づいて説明する。
【００３０】
〔電話着信時における動作〕
まず、図３のフローチャートに、電話着信時における携帯電話機１の動作の流れを示す。図２に示す当該携帯電話機１の制御部３４は、アンテナ２１及び通信回路２２を介して電話着信を検出すると、メモリ３３に記憶されている情報画像化処理プログラムに基づいて、この図３のフローチャートに示す各処理を開始する。
【００３１】
ステップＳ１では、制御部３４が、画像情報を出力可能な機器が家庭内ＬＡＮ３に接続されているか否かを判別する。詳細に説明すると、図２に示す携帯電話機１の制御部３４は、当該携帯電話機１のメイン電源が投入されると、メモリ３３に記憶されている＋ＰＵ＋プログラムに基づいて、間欠的に（連続的でもよい）近距離無線通信ＡＰ４の検出を行う。そして、制御部３４は、近距離無線通信ＡＰ４を検出した場合、画像情報を出力可能な機器が家庭内ＬＡＮ３に接続されているか否かを判別し、該画像情報の出力が可能な機器が家庭内ＬＡＮ３に接続されているものと判別できた場合に、この出力機器情報をメモリ３３に保持する。図１に示す例の場合、家庭内ＬＡＮ３に対してメディアレンダラ２が接続されているため、制御部３４は、このメディアレンダラ２の出力機器情報をメモリ３３に保持することとなる。
【００３２】
ステップＳ１では、制御部３４が、このメモリ３３に記憶される出力機器情報の有無に基づいて、画像情報を出力可能な機器が家庭内ＬＡＮ３に接続されているか否かを判別する。そして、画像情報を出力可能な機器が家庭内ＬＡＮ３に接続されていないものと判別した場合は処理をステップＳ７に進め、画像情報を出力可能な機器が家庭内ＬＡＮ３に接続されているものと判別した場合は処理をステップＳ２に進める。
【００３３】
ステップＳ７に処理を進めると、以下に説明する画像情報を送信する機器（この例の場合、メディアレンダラ２）が存在しないため、制御部３４は、このステップＳ７において通常の電話着信処理を行い、この図３のフローチャートに示す全処理を終了する。
【００３４】
これに対して、画像情報を出力可能な機器が家庭内ＬＡＮ３に接続されているものと判別することで処理をステップＳ２に進めると、制御部３４は、現在、着信している電話の発信元となるユーザ（＝電話を掛けてきているユーザ）に関連する情報をメモリ３３から収集する。
【００３５】
具体的には、メモリ３３に記憶されている電話帳には、各ユーザのユーザ名（ニックネーム等を含む）、携帯電話や固定電話の電話番号、住所、誕生日、顔写真等の静止画像等が登録されている。このため、制御部３４は、電話着信があった際に、当該電話着信時に通知される発信元となるユーザの電話番号に基づいて、上記電話帳を検索することで、この通知された電話番号に対応するユーザ名、住所、誕生日、電話番号、顔写真等の静止画像を収集する。
【００３６】
また、制御部３４は、上記電話帳から検索したユーザ名に基づいて、メモリ３３に記憶されているスケジュール帳を検索し、この検索したユーザ名を含むスケジュールの開催日やスケジュール名等を収集する。
【００３７】
さらに、制御部３４は、電話帳に登録されている、そのユーザの顔写真等の静止画像に対して顔認識処理（静止画像全体の中の顔部分のみを認識する処理）を行い、メモリ３３に記憶されている静止画像コンテンツの中から、この顔認識処理で認識した顔部分の静止画像が写っている静止画像コンテンツを検出して収集する。なお、関連する静止画像コンテンツを検出する場合、上記電話帳から検索したユーザ名を含む表題が付されている静止画像コンテンツを収集してもよい。
【００３８】
このような関連する情報の収集が完了すると、制御部３４は、ステップＳ３に処理を進め、収集した各情報を纏めた１枚の静止画像を形成する画像化処理を行う。そして、ステップＳ４において、この画像化処理で形成した静止画像を、図１に示す近距離無線通信ＡＰ４及びホームネットワーク３を介してメディアレンダラ２に送信するように、図２に示す近距離無線通信部３２を通信制御する。
【００３９】
メディアレンダラ２の制御部１４は、図１に示すメモリ１３に記憶されているＤＭＲプログラムに基づいて動作することで、通信部１１を介して、携帯電話機１から送信された上記静止画像を取り込み、この取り込んだ静止画像に画像処理部１２を介して表示用の処理を施し、表示装置５に表示制御する。
【００４０】
図４に、携帯電話機１から送信された上記静止画像の表示例を示す。この図４は、「Ａさん」からの電話が着信した際に、メディアレンダラ２により表示装置５に表示される静止画像の一例である。この例に示すように、携帯電話機１の制御部３４は、電話着信時に通知される電話番号に基づいて、電話帳から「Ａさん」というユーザ名を検出し、例えば「Ａさんと通話中です。」等のテキスト情報を形成する。
【００４１】
また、制御部３４は、上述のように電話帳からＡさんの住所、誕生日、電話番号を検出すると共に、スケジュール帳からＡさんのユーザ名を含むスケジュールの開催日、及び定例会、特許打ち合わせ等のスケジュール名を収集する。さらに、制御部３４は、メモリ３３に記憶されている静止画像コンテンツの中から、電話帳に登録されているＡさんの顔が写っている静止画像コンテンツを検出する。
【００４２】
そして、制御部３４は、上記「Ａさんと通話中です。」とのテキスト情報の横に、電話帳から検出したＡさんの顔写真等の静止画像を付すと共に、電話帳から検索したＡさんの住所や誕生日等の「Ａさん情報」、スケジュール帳から検索した「Ａさんと関連するスケジュール」、及びＡさんが写っている静止画像コンテンツを１枚に纏めた静止画像を形成し、これをメディアレンダラ２に送信する。
【００４３】
これにより、静止画像コンテンツは元より、Ａさんの住所、誕生日、スケジュール等のテキスト情報も静止画像としてメディアレンダラ２に送信することができるため、静止画像しか取り扱うことができないメディアレンダラ２においても、上記テキスト情報の取り扱いを可能とすることができる。
【００４４】
また、電話着信があった際に、図４に示すように、当該着信している電話の通話相手（この例の場合は、Ａさん）に関連する情報を表示装置５に表示することができるため、この表示される情報を見ながら通話を行うことで、例えばスケジュールの確認や想い出話等、有意義な通話を可能とすることができる。
【００４５】
なお、上記住所、誕生日、スケジュール等のテキスト情報及び静止画像コンテンツを１枚の静止画像に纏めて画像化処理することとしたが、例えば表示すべきスケジュールや静止画像コンテンツが多数検出された場合、携帯電話機１の制御部３４は、複数枚の静止画像を形成し、これらをユーザの操作に応じて切り替えてメディアレンダラ２に送信してもよい。この表示の切り替え操作は後述する。
【００４６】
また、住所や誕生日等の電話帳に登録されている情報、スケジュール帳に登録されている情報、及びメモリ３３に記憶されている静止画像コンテンツを纏めて画像化処理することとしたが、これはメモリ３３に記憶されている電子メール情報や電子メールの発着信履歴をも纏めて画像化処理してもよい。
【００４７】
次に、このように画像化処理で形成した静止画像をメディアレンダラ２に送信すると、携帯電話機１の制御部３４は、図３のフローチャートのステップＳ５において、通話終了を監視する。そして、通話終了を検出したタイミングで処理をステップＳ６に進め、メディアレンダラ２に対して表示終了要求を送信するように近距離無線通信部３２を制御して、この図３のフローチャートに示す全処理を終了する。
【００４８】
メディアレンダラ２の制御部１４は、携帯電話機１から表示終了要求を受信すると、表示装置５に表示している静止画像（＝携帯電話機１から送信された静止画像）の表示を終了制御する。これにより、Ａさんとの通話が終了したタイミングで、表示装置５に表示されていたＡさんに関連する情報の表示も終了することとなる。
【００４９】
〔電子メール着信時における動作〕
次に、図５のフローチャートに、電子メールの着信時における携帯電話機１の動作の流れを示す。図２に示す携帯電話機１の制御部３４は、アンテナ２１及び通信回路２２を介して電子メールの着信を検出すると、メモリ３３に記憶されている情報画像化処理プログラムに基づいて、この図５のフローチャートに示す各処理を開始する。
【００５０】
ステップＳ１１では、制御部３４が、図３のフローチャートのステップＳ１で説明したように、画像情報を出力可能な機器が家庭内ＬＡＮ３に接続されているか否かを判別し、画像情報を出力可能な機器が家庭内ＬＡＮ３に接続されているものと判別できた場合に、ステップＳ１２に処理を進める。
【００５１】
ステップＳ１２では、制御部３４が、着信した電子メールの重要度（Ｉｍ）を検出する。具体的には、この重要度の検出を行う場合、制御部３４は、メモリ３３に記憶されている電子メールの送信履歴に基づいて、当該携帯電話機１のユーザが、上記着信した電子メールの送信元となるユーザに対して、例えば過去一週間内に送信した電子メールの送信回数を検出すると共に、メモリ３３に記憶されている電話帳を検索することで、上記着信した電子メールの送信元となるユーザが、該電話帳に登録されているか否かを判別する。
【００５２】
上記着信した電子メールの送信元となるユーザに対して、当該携帯電話機１のユーザが過去一週間内に送信を行った電子メールの送信回数は、該着信した電子メールの送信元となるユーザと当該携帯電話機１のユーザとの関わり合いの度合いが反映された値となる。
【００５３】
一例ではあるが、制御部３４は、上記電子メールの送信回数が、
６回以上    →  重要度５
４回〜５回  →  重要度４
２回〜３回  →  重要度３
１回        →  重要度２
０回        →  重要度１
等のように、送信回数に基づいて上記着信した電子メールの重要度を５段階で判別する。
【００５４】
ここで、このように送信回数のみに基づいて重要度の判別を行ってもよいが、電話帳に対する、上記着信した電子メールの送信元となるユーザの情報の登録の有無に基づいて、上記重要度の値を可変することで、前述の重要度判別処理の精度を高めることができる。すなわち、この場合、制御部３４は、上記電子メールの送信回数に基づいて重要度を判別した後に、上記着信した電子メールの電子メールアドレスに基づいてメモリ３３の電話帳を検索することで、該着信した電子メールの送信元となるユーザの情報が電話帳に登録されているか否かを判別する。
【００５５】
着信した電子メールの送信元となるユーザの情報が電話帳に登録されているということは、その送信元となるユーザは、当該携帯電話機１のユーザの知人であることを意味し、この知人から着信した電子メールは重要度が高いことを意味する。このため、制御部３４は、着信した電子メールの送信元となるユーザの情報が電話帳に登録されていた場合、上記送信回数のみに基づいて判別した重要度を「１」インクリメントする。すなわち、上記送信回数のみに基づいて判別した重要度が「１」の場合、「２」の重要度にインクリメントし、上記送信回数のみに基づいて判別した重要度が「４」の場合、「５」の重要度にインクリメントする。
【００５６】
これに対して、着信した電子メールの送信元となるユーザの情報が電話帳に登録されていないということは、その送信元となるユーザは、当該携帯電話機１のユーザの知人である可能性が低く、着信した電子メールの重要度もそれ程高くないことを意味する。このため、制御部３４は、着信した電子メールの送信元となるユーザの情報が電話帳に登録されていない場合、上記送信回数のみに基づいて判別した重要度を「１」デクリメントする。すなわち、上記送信回数のみに基づいて判別した重要度が「１」の場合、「０」の重要度にデクリメントし、上記送信回数のみに基づいて判別した重要度が「４」の場合、「３」の重要度にデクリメントする。
【００５７】
このように、電話帳に対する、上記着信した電子メールの送信元となるユーザの情報の登録の有無に基づいて、上記送信回数に基づいて判別した重要度の値を可変することで、前述の重要度判別処理の精度を高めることができる。
【００５８】
次に、このような電子メールの重要度の判別を行うと、制御部３４は、処理をステップＳ１３に進め、図２に示すマイクロホン部２４を介して、当該携帯電話機１の周囲の環境音量度（Ｍｏ）を判別して処理をステップＳ１４に進める。
【００５９】
一例ではあるが、制御部３４は、マイクロホン部２４で検出された当該携帯電話機１の周囲の環境音量が、
６０ｄＢ以上        →  環境音量度５
５０ｄＢ〜５９ｄＢ  →  環境音量度４
３０ｄＢ〜４９ｄＢ  →  環境音量度３
１０ｄＢ〜２９ｄＢ  →  環境音量度２
０ｄＢ〜９ｄＢ      →  環境音量度１
等のように、環境音量に基づいて当該携帯電話機１の周囲の環境音量度を５段階で判別する。例えば、図１に示す表示装置５で、当該携帯電話機１のユーザの家族がテレビジョン放送番組を視聴して談笑していた場合等には、周囲の環境音量が６０ｄＢ以上となる。この場合、制御部３４は、環境音量度５と判別することとなる。また、当該携帯電話機１のユーザが一人で静かにテレビ番組を視聴していた場合等には、周囲の環境音量が３０ｄＢ程度となる。この場合、制御部３４は、環境音量度３と判別することとなる。
【００６０】
次に、制御部３４は、ステップＳ１４において、上記ステップＳ１３で検出した当該携帯電話機１の周囲の環境音量度（Ｍｏ）が、上記ステップＳ１２で検出した電子メールの重要度（Ｉｍ）よりも大きな値であるか否かを判別する。上記周囲の環境音量度（Ｍｏ）が、上記電子メールの重要度（Ｉｍ）よりも大きな値であるということは、当該着信した電子メールの重要度はそれ程高くなく、また、上述のように家族で談笑しながらテレビジョン放送番組を視聴している等のため、この場の雰囲気を壊さない方が良いことを意味している。
【００６１】
このため、上記周囲の環境音量度（Ｍｏ）が上記電子メールの重要度（Ｉｍ）よりも大きな値である場合、制御部３４は、上記ステップＳ１３及び当該ステップＳ１４の各処理を繰り返し実行することで、上記周囲の環境音量度（Ｍｏ）が上記電子メールの重要度（Ｉｍ）よりも小さな値となるまで待ち、上記周囲の環境音量度（Ｍｏ）が上記電子メールの重要度（Ｉｍ）よりも小さな値となった際に処理をステップＳ１５に進め、以下に説明する表示装置５に対する電子メールの表示を行う。
【００６２】
ただし、上記電子メールの重要度（Ｉｍ）が当該携帯電話機１の周囲の環境音量度（Ｍｏ）よりも大きな値の場合、重要度の高い電子メールが着信したことを意味するため、制御部３４は、即座にステップＳ１５に処理を進め、以下に説明する表示装置５に対する電子メールの表示を行う。
【００６３】
次に、ステップＳ１５に処理を進めると、制御部３４は、着信した電子メールの発信元となるユーザに関連する情報をメモリ３３から収集する。
【００６４】
具体的には、着信した電子メールには、当該電子メールの発信元となるユーザの電子メールアドレスが付されている。このため、制御部３４は、電子メールが着信した際に、この着信した電子メールに付されている発信元となるユーザの電子メールアドレスに基づいて上記電話帳を検索することで、この電子メールアドレスに対応するユーザのユーザ名、及び顔写真の静止画像を収集して、処理をステップＳ１６に進める。
【００６５】
次に、ステップＳ１６では、制御部３４が、着信した電子メールの表題、本文、発信元となるユーザのユーザ名、電話帳から検索した発信元となるユーザの顔写真の静止画像、及びその電子メールに添付ファイルが添付されている場合は、この添付ファイルを１枚の静止画像に纏める画像化処理を行い、ステップＳ１７において、この静止画像をメディアレンダラ２に送信する。これにより、携帯電話機１に着信した電子メールの本文等が、メディアレンダラ２を介して表示装置５に表示されることとなる。
【００６６】
図６に、携帯電話機１から送信された上記電子メールに対応する静止画像の表示例を示す。この図６は、「Ｂさん」からの電子メールが着信した際に、メディアレンダラ２により表示装置５に表示される静止画像の一例である。この例に示すように、携帯電話機１の制御部３４は、電子メールの着信時に、当該電子メールの発信元を示す電子メールアドレスに基づいて、電話帳から「Ｂさん」というユーザ名を検出すると共に、当該Ｂさんの顔写真等の静止画像を検出する。
【００６７】
そして、制御部３４は、Ｂさんの顔写真の静止画像、着信した電子メールの発信元のユーザ名を示すテキスト情報（Ｆｒｏｍ：Ｂさん）、着信した電子メールの表題のテキスト情報（Ｓｕｂｊｅｃｔ：新発売の携帯電話機の件です。）、着信した電子メールの本文のテキスト情報（今度、新発売になった携帯電話機の画像を送ります。）、及び添付ファイル（携帯電話機の静止画像）を１枚に纏めた静止画像を形成し、これをメディアレンダラ２に送信する。
【００６８】
これにより、着信した電子メールの発信元となるユーザの顔写真や携帯電話機の静止画像等の静止画像コンテンツは元より、着信した電子メールの発信元となるユーザのユーザ名、着信した電子メールの表題及び本文等のテキスト情報も静止画像としてメディアレンダラ２に送信することができるため、静止画像しか取り扱うことができないメディアレンダラ２においても、上記テキスト情報を主体とする電子メールの取り扱いを可能とすることができる。
【００６９】
なお、この例の場合、着信した電子メールの表題、本文、発信元となるユーザのユーザ名、発信元となるユーザの顔写真等の静止画像、及び添付ファイルを１枚の静止画像に纏めて画像化処理することとしたが、図４を用いて説明したように、メモリ３３から検出した静止画像コンテンツ（発信元となるユーザに関連する静止画像コンテンツ）やスケジュール情報も１枚の静止画像に纏めて画像化処理してもよい。
【００７０】
（表示の切り替え動作）
ここで、携帯電話機１の制御部３４は、当該携帯電話機１の操作部２６に設けられている所定のキーに対して、上記メディアレンダラ２により表示装置５に表示されている電子メール情報の表示内容を変更するための機能を割り当て、図６に示すように、この割り当てた機能とキーを示すテキスト情報を、上記電子メール情報と共に画像化処理してメディアレンダラ２に送信するようになっている。
【００７１】
図６は、携帯電話機１の制御部３４が、当該携帯電話機１の操作部２６に設けられた「１」の数字キーに対して、現在、表示している電子メールの次の頁を表示する機能を割り当て、「４」の数字キーに対して、現在、表示している電子メールの次の電子メールを表示する機能を割り当て、「６」の数字キーに対して、現在、表示している電子メールの前の電子メールを表示する機能を割り当て、クリアキーに対して、電子メールの表示を終了する機能を割り当てた例を示している。
【００７２】
ユーザは、この表示を見ることで、各キーに割り当てられている機能を認識し、所望のキー操作を行う。図５のフローチャートのステップＳ１８〜ステップＳ２１では、制御部３４が、現在、表示している電子メールの次頁の表示を指定するキー操作の有無（＝「１」の数字キーの操作の有無）、現在、表示している電子メールの次の電子メールの表示を指定するキー操作の有無（＝「４」の数字キーの操作の有無）、現在、表示している電子メールの前の電子メールの表示を指定するキー操作の有無（＝「６」の数字キーの操作の有無）、電子メールの表示の終了を指定するキー操作の有無（＝クリアキーの操作の有無）を、それぞれ監視する。
【００７３】
制御部３４は、ステップＳ１８において、現在、表示している電子メールの次頁の表示を指定するキー操作（＝「１」の数字キーの操作）を検出した場合、ステップＳ１５〜ステップＳ１７において、現在、表示している電子メールの本文に相当する部分を、当該電子メールの次頁に相当する本文に変更した上記画像情報を形成し、これをメディアレンダラ２に送信する。これにより、表示装置５には、上記電子メールの次頁の本文等が表示されることとなる。
【００７４】
また、制御部３４は、ステップＳ１９において、現在、表示している電子メールの次の電子メールの表示を指定するキー操作（＝「４」の数字キーの操作）を検出した場合、ステップＳ１５〜ステップＳ１７において、現在、表示している電子メールの次の電子メールに対応する本文や送信元となるユーザのユーザ名等を画像化処理し、この静止画像をメディアレンダラ２に送信する。これにより、表示装置５には、上記現在、表示している電子メールの一つ後に受信した電子メールの本文やユーザ名等が表示されることとなる。
【００７５】
また、制御部３４は、ステップＳ２０において、現在、表示している電子メールの前の電子メールの表示を指定するキー操作（＝「６」の数字キーの操作）を検出した場合、ステップＳ１５〜ステップＳ１７において、現在、表示している電子メールの前の電子メールに対応する本文や送信元となるユーザのユーザ名等を画像化処理し、この静止画像をメディアレンダラ２に送信する。これにより、表示装置５には、上記現在、表示している電子メールの一つ前に受信した電子メールの本文やユーザ名等が表示されることとなる。
【００７６】
また、制御部３４は、ステップＳ２１において、電子メールの表示終了を指定するキー操作（＝クリアキーの操作）を検出した場合、ステップＳ２２に処理を進め、メディアレンダラ２に対して表示終了要求を送信するように近距離無線通信部３２を制御して、この図５のフローチャートに示す全処理を終了する。
【００７７】
メディアレンダラ２の制御部１４は、携帯電話機１から表示終了要求を受信すると、表示装置５に表示している静止画像（＝携帯電話機１から送信された電子メールの静止画像）の表示を終了制御する。これにより、ユーザが携帯電話機１のクリアキーを操作したタイミングで、表示装置５に表示されていた電子メールの表示も終了することとなる。
【００７８】
なお、この例では、携帯電話機１の制御部３４が、着信した電子メールの重要度（Ｉｍ）と当該携帯電話機１の周囲の環境音量度（Ｍｏ）に基づいて、メディアレンダラ２に対する上記着信した電子メールの表示の是非を判別することとしたが、着信した電子メールの重要度（Ｉｍ）のみに基づいて、この着信した電子メールの表示の是非を判別してもよい。この場合、制御部３４は、例えば着信した電子メールの重要度（Ｉｍ）が「３以上の場合」に、着信した電子メールに対応する上記静止画像をメディアレンダラ２に送信し、着信した電子メールの重要度（Ｉｍ）が「２以下の場合は、着信した電子メールに対応する上記静止画像をメディアレンダラ２に送信することとなる。これにより、所定以上の重要度を有する電子メールが着信した場合のみ、メディアレンダラ２を介した上記静止画像の表示を行うことができる。
【００７９】
また、この例では、携帯電話機１の制御部３４が、着信した電子メールの重要度（Ｉｍ）と当該携帯電話機１の周囲の環境音量度（Ｍｏ）に基づいて、メディアレンダラ２に対する上記着信した電子メールの表示の是非を判別することとしたが、この表示の是非の判別はメディアレンダラ２側で行うようにしてもよい。
【００８０】
この場合、携帯電話機１の制御部３４は、着信した電子メールに基づいて形成した上記静止画像と共に、当該着信した電子メールの重要度（Ｉｍ）と当該携帯電話機１の周囲の環境音量度（Ｍｏ）を、近距離無線通信部３２を介してメディアレンダラ２に送信する。また、携帯電話機１の制御部３４は、当該携帯電話機１の周囲の環境音量度（Ｍｏ）を例えば１分置き等の所定時間間隔で検出して間欠的にメディアレンダラ２に送信する。
【００８１】
メディアレンダラ２の制御部１４は、図５のフローチャートのステップＳ１４で説明したように、携帯電話機１側から送信された電子メールの重要度（Ｉｍ）と、上記間欠的に送信される周囲の環境音量度（Ｍｏ）とを比較し、上記周囲の環境音量度（Ｍｏ）が上記電子メールの重要度（Ｉｍ）よりも大きな値である場合は、表示装置５に対する、上記携帯電話機１側から送信された静止画像の表示を行わず、上記周囲の環境音量度（Ｍｏ）が上記電子メールの重要度（Ｉｍ）よりも小さな値となった際に、表示装置５に対して上記携帯電話機１側から送信された静止画像の表示を行う。これにより、上述のように、その場の雰囲気を壊すことなく、電子メールの着信通知等を行うことができる。
【００８２】
また、メディアレンダラ２側において、携帯電話機１側から送信された電子メールの重要度（Ｉｍ）のみに基づいて表示装置５に対する、上記携帯電話機１側から送信された静止画像の表示の是非を判別してもよい。この場合、メディアレンダラ２の制御部１４は、携帯電話機１側から送信された電子メールの重要度（Ｉｍ）が例えば「３」以上の場合に該静止画像の表示を行う。これにより、ある程度以上の重要度の電子メールが着信した場合には、当該電子メールの着信を表示装置５を介して通知することができる。
【００８３】
〔登録されたスケジュールの通知時における動作〕
次に、図７のフローチャートに、スケジュール帳に登録されたスケジュールの通知時となった際における携帯電話機１の動作の流れを示す。図２に示す携帯電話機１の制御部３４は、メモリ３３のスケジュール帳に対してスケジュールの登録がなされると、メモリ３３に記憶されている情報画像化処理プログラムに基づいて、この図７のフローチャートに示す各処理を開始する。
【００８４】
ステップＳ３１では、図２に示す制御部３４が、タイマ３０で計時される現在時刻に基づいて、メモリ３３のスケジュール帳に登録されたスケジュールの開始時刻、或いは登録されたスケジュールの開始時刻の所定時間前の時刻となったか否かを判別する。すなわち、制御部３４は、スケジュール帳に対して、スケジュールの開始時刻のみが登録されている場合は、このスケジュールの開始時刻を通知時刻とみなし、タイマ３０で計時される現在時刻が上記スケジュールの開始時刻となった際に、現在時刻が当該スケジュールの通知時刻となったものと判別して処理をステップＳ３２に進める。また、制御部３４は、スケジュール帳に対して、スケジュールの開始時刻と共に、例えば、開始時刻の５分前や３０分前等の通知時刻が登録されている場合は、タイマ３０で計時される現在時刻が上記通知時刻となった際に、処理をステップＳ３２に進める。
【００８５】
ステップＳ３２では、制御部３４が、図３のフローチャートのステップＳ１で説明したように、画像情報を出力可能な機器が家庭内ＬＡＮ３に接続されているか否かを判別し、画像情報を出力可能な機器が家庭内ＬＡＮ３に接続されているものと判別できた場合に、ステップＳ３３に処理を進め、このスケジュールに関連する情報をメモリ３３から収集する。
【００８６】
具体的には、スケジュールを登録する場合、ユーザは、そのスケジュールの表題、開催場所、参加者等を登録する。制御部３４は、この登録されたスケジュールから所定のキーワード検索を行うことで、そのスケジュールの表題や参加者等をメモリ３３のスケジュール帳から検出する。また、制御部３４は、参加者を検出した場合、その参加者のユーザ名に基づいて電話帳を検索することで、その参加者の顔写真等の静止画像、電話番号、及び電子メールドレスを検出する。さらに、制御部３４は、操作部２６に設けられている所定のキーに対して、上記参加者に対する電話発信を指示する機能、上記参加者に対する電子メールの作成を指示する機能、スケジュールの開催場所への行き方を検索する機能、及び表示装置５に対する表示終了を指示する機能を割り当てる。
【００８７】
次に、ステップＳ３４では、制御部３４が、上記キーワード検索でスケジュール情報から抽出したキーワードに基づいて、例えば「食事会が銀座で１時間後に行われます。」等のスケジュールを示すテキスト情報を形成する。そして、このスケジュールを示すテキスト情報と、参加者を検出した場合には、その参加者の顔写真等の静止画像と、この参加者への電話発信を指示する機能を割り当てたキーを示すテキスト情報と、上記参加者への電子メールの作成を指示する機能を割り当てたキーを示すテキスト情報と、スケジュールの開催場所への行き方を検索する機能を割り当てたキーを示すテキスト情報と、表示装置５に対する表示終了を指示する機能を割り当てたキーを示すテキスト情報とを纏めて画像化処理し、ステップＳ３５において、この画像化処理により形成した静止画像をメディアレンダラ２に送信する。これにより、携帯電話機１のスケジュール帳に登録されたスケジュールの通知時刻となった際に、当該スケジュールを示す情報やそのスケジュールに対する参加者の情報等が、メディアレンダラ２を介して表示装置５に表示されることとなる。
【００８８】
図８に、携帯電話機１から送信された上記スケジュールに対応する静止画像の表示例を示す。この図８は、３０分後に開催される打ち合わせのスケジュールが、メディアレンダラ２により表示装置５に表示された例である。この例に示すように、携帯電話機１の制御部３４は、スケジュール帳に登録されたスケジュールの通知時刻となると、キーワード検索により、例えば「打ち合わせ」、「ユーザＡ」、「ユーザＢ」、「ユーザＣ」、「ユーザＤ」等のキーワードをスケジュール本文から抽出すると共に、この抽出したキーワードのうち、「打ち合わせ」とのキーワードと、タイマ３０で計時されている現在時刻、及びスケジュールの開始時刻に基づいて、例えば「打ち合わせが３０分後に行われます。」等のテキスト情報を形成する。
【００８９】
また、「ユーザＡ」、「ユーザＢ」、「ユーザＣ」、「ユーザＤ」等のキーワードに基づいてメモリ３３の電話帳から各ユーザＡ〜Ｄの顔写真等の静止画像、電話番号、及び電子メールアドレスを検出する共に、各ユーザＡ〜Ｄの電話番号及び電子メールアドレスに対して、操作部２６の所定のキーを割り当てる。また、制御部３４は、スケジュールの開催場所への行き方を検索する機能を操作部２６の所定のキーを割り当てると共に、表示装置５に対する表示終了を指示する機能を操作部２６の所定のキーに割り当てる。
【００９０】
そして、制御部３４は、「打ち合わせが３０分後に行われます。」等のテキスト情報、参加者となる各ユーザＡ〜Ｄの顔写真等の静止画像、各ユーザに対する電話発信及び電子メール作成を指示する機能が割り当てられている操作部２６のキーを示すテキスト情報、及びスケジュールの開催場所への行き方を検索する機能が割り当てられている操作部２６のキーを示すテキスト情報、及び表示装置５に対する表示終了を指示する機能が割り当てられている操作部２６のキーを示すテキスト情報を１枚に纏めた静止画像を形成し、これをメディアレンダラ２に送信する。
【００９１】
これにより、主にテキスト情報で形成されるスケジュールを画像情報として取り扱うことができるため、静止画像しか取り扱うことができないメディアレンダラ２においても、上記テキスト情報を主体とするスケジュールの取り扱いを可能とすることができる。
【００９２】
次に、図７のフローチャートのステップＳ３６では、制御部３４が、電話発信を指示する機能が割り当てられたキー操作の有無を監視する。図８に示す例の場合、３０分後に行われる打ち合わせには、ユーザＡ〜ユーザＤが参加し、制御部３４は、「１」の数字キーに対してユーザＡに対する電話発信を指示する機能を、「３」の数字キーに対してユーザＢに対する電話発信を指示する機能を、「５」の数字キーに対してユーザＣに対する電話発信を指示する機能を、「７」の数字キーに対してユーザＤに対する電話発信を指示する機能を、それぞれ割り当てている。
【００９３】
このため、制御部３４は、ステップＳ３６において、これら各ユーザＡ〜ユーザＤに対する電話発信を指示する機能が割り当てられている「１」、「３」、「５」、「７」のいずれかの数字キーが操作されたか否かを判別する。そして、この「１」、「３」、「５」、「７」のいずれかの数字キーのキー操作を検出した場合、制御部３４はステップＳ４１に処理を進め、当該操作されたキーに対応するユーザの電話番号をメモリ３３の電話帳から検出し、この検出した電話番号に対して電話発信を行うように通信回路２２を制御する。これにより、携帯電話機１のユーザは、登録したスケジュールに対して参加が予定されている参加者（ユーザＡ〜ユーザＤ）に対して、簡単に電話連絡を取ることができる。
【００９４】
次に、ステップＳ３７では、制御部３４が、電子メールの作成を指示する機能が割り当てられたキー操作の有無を監視する。図８に示す例の場合、３０分後に行われる打ち合わせには、ユーザＡ〜ユーザＤが参加し、制御部３４は、「２」の数字キーに対してユーザＡに対する電子メールの作成を指示する機能を、「４」の数字キーに対してユーザＢに対する電子メールの作成を指示する機能を、「６」の数字キーに対してユーザＣに対する電子メールの作成を指示する機能を、「８」の数字キーに対してユーザＤに対する電子メールの作成を指示する機能を、それぞれ割り当てている。
【００９５】
このため、制御部３４は、ステップＳ３７において、これら各ユーザＡ〜ユーザＤに対する電子メールの作成を指示する機能が割り当てられている「２」、「４」、「６」、「８」のいずれかの数字キーが操作されたか否かを判別する。そして、この「２」、「４」、「６」、「８」のいずれかの数字キーのキー操作を検出した場合、制御部３４はステップＳ４２に処理を進め、当該操作されたキーに対応するユーザの電子メールアドレスをメモリ３３の電話帳から検出し、この検出した電子メールアドレスを入力した電子メールの作成画面を表示部２５に表示制御する。これにより、携帯電話機１のユーザは、登録したスケジュールに対して参加が予定されている参加者（ユーザＡ〜ユーザＤ）に対して、簡単に電子メールを作成して送信することができる。
【００９６】
次に、ステップＳ３８では、制御部３４が、スケジュールの開催場所への行き方の検索を指示する機能が割り当てられたキー操作の有無を監視する。図８に示す例の場合、制御部３４は、「０」の数字キーに対してスケジュールの開催場所への行き方の検索を指示する機能を割り当てている。このため、制御部３４は、ステップＳ３８において、この「０」の数字キーが操作されたか否かを判別する。そして、この「０」の数字キーのキー操作を検出した場合、制御部３４はステップＳ４３に処理を進め、当該スケジュールの開催場所への行き方情報を収集する。
【００９７】
具体的には、制御部３４は、この「０」の数字キーのキー操作を検出した場合、図示していないＧＰＳセンサや基地局からの位置情報に基づいて当該携帯電話機１の現在位置を検出し、この現在位置情報と、スケジュールの開催場所を示す情報を送信するように通信回路２２を通信制御する。この現在位置情報及びスケジュールの開催場所を示す情報は、図１に示す基地局６、コミュニケーションネットワーク７、及びインターネット８を介してサーバ装置９に送信される。サーバ装置９は、携帯電話機１の現在位置情報と、スケジュールの開催場所を示す情報とに基づいて、当該携帯電話機１の現在位置情報からスケジュールの開催場所に行くまでの路線や道順（携帯電話機１の現在位置とスケジュールの開催場所を示した地図情報でもよい）を検出して該携帯電話機１に返信する。
【００９８】
携帯電話機１の制御部３４は、サーバ装置９から上記路線や道順が返信されると、ステップＳ３４に処理を戻し、この路線や道順を示す情報を画像化処理してメディアレンダラ２に送信する。これにより、携帯電話機１のユーザは、登録したスケジュールの開催場所に対する行き方を簡単に確認することができる。
【００９９】
なお、この例では、サーバ装置９から返信された上記路線や道順をメディアレンダラ２を介して表示装置５に表示することとしたが、これは、携帯電話機１の表示部２５に表示してもよい。
【０１００】
次に、ステップＳ３９では、制御部３４が、表示装置５に対する表示終了を指示する機能が割り当てられたキー操作の有無を監視する。図８に示す例の場合、制御部３４は、クリアキーに対して表示装置５に対する表示終了を指示する機能を割り当てている。このため、制御部３４は、ステップＳ３９において、このクリアキーが操作されたか否かを判別する。そして、このクリアキーのキー操作を検出した場合、制御部３４はステップＳ４０に処理を進め、メディアレンダラ２に対して表示終了要求を送信するように近距離無線通信部３２を制御して、この図７のフローチャートに示す全処理を終了する。
【０１０１】
メディアレンダラ２の制御部１４は、携帯電話機１から表示終了要求を受信すると、表示装置５に表示している静止画像の表示を終了制御する。これにより、ユーザが携帯電話機１のクリアキーを操作したタイミングで、表示装置５に表示されていたスケジュールを通知する静止画像の表示が終了することとなる。
【０１０２】
〔充電開始時における動作〕
次に、図９のフローチャートに、当該携帯電話機１の充電開始時における動作の流れを示す。図２に示す携帯電話機１の制御部３４は、例えばユーザの自宅に設置されているクレードル装置に当該携帯電話機１が設置されることで充電制御を開始すると、メモリ３３に記憶されている情報画像化処理プログラムに基づいて、この図９のフローチャートに示す各処理を開始する。
【０１０３】
ステップＳ５１では、携帯電話機１の制御部３４が、図３のフローチャートのステップＳ１で説明したように、画像情報を出力可能な機器が家庭内ＬＡＮ３に接続されているか否かを判別し、画像情報を出力可能な機器が家庭内ＬＡＮ３に接続されているものと判別できた場合にステップＳ５２に処理を進めて情報収集を行う。
【０１０４】
具体的には、このステップＳ５２では、制御部３４が、メモリ３３のスケジュール帳を検索することで、本日のスケジュール情報及び明日予定されているスケジュール情報を収集すると共に、通信回路２２を介して図１に示すサーバ装置９にアクセスし、ニュース情報を収集する。
【０１０５】
また、制御部３４は、上記収集したスケジュール情報に基づいて所定のキーワード検索を行うことで、そのスケジュールの表題や参加者等を検出する。また、制御部３４は、スケジュールに対する参加者を検出した場合、その参加者のユーザ名に基づいて電話帳を検索することで、その参加者の顔写真等の静止画像、電話番号、及び電子メールドレスを検出する。
【０１０６】
さらに、制御部３４は、操作部２６に設けられている所定のキーに対して、上記参加者に対する電話発信を指示する機能、上記参加者に対する電子メールの作成を指示する機能、上記ニュース情報の詳細の取り込みを指示する機能、カメラ部２８で本日の日付で撮像された静止画像の表示を指定する機能、及び表示装置５に対する表示終了を指示する機能を割り当てる。
【０１０７】
次に、ステップＳ５３では、制御部３４が、例えば「１２／１２」等の本日の日付と、「本日の出来事」等の表題を示すテキスト情報を形成する。そして、この表題のテキスト情報と、本日のスケジュール及び明日予定されているスケジュールを示すテキスト情報と、サーバ装置９から取り込んだニュース情報のテキスト情報と、このニュース情報の詳細の取り込みを指示する機能を割り当てたキーを示すテキスト情報と、カメラ部２８で本日の日付で撮像された静止画像の表示を指定する機能を割り当てたキーを示すテキスト情報と、表示装置５に対する表示終了を指示する機能を割り当てたキーを示すテキスト情報とを纏めて画像化処理する。
【０１０８】
なお、制御部３４は、上記本日或いは明日のスケジュールに対する参加者を検出した場合には、その参加者の顔写真等の静止画像、この参加者への電話発信を指示する機能を割り当てたキーを示すテキスト情報、及び上記参加者への電子メールの作成を指示する機能を割り当てたキーを示すテキスト情報をも含めて前述の画像化処理を行う。
【０１０９】
次に、ステップＳ５４では、制御部３４が、この画像化処理により形成した静止画像をメディアレンダラ２に送信する。これにより、携帯電話機１の充電を開始した際に、本日や明日のスケジュールやニュース等が、メディアレンダラ２を介して表示装置５に表示されることとなる。
【０１１０】
図１０に、携帯電話機１から送信された上記各情報に対応する静止画像の表示例を示す。この図１０は、１２月１２日の夜にユーザが帰宅して携帯電話機１の充電を開始した際における表示例である。携帯電話機１の制御部３４は、例えば本日の１４：００〜１５：００に行われた「特許打ち合わせ」とのスケジュール、及び明日の１５：３０〜１７：００に予定されている「面接」とのスケジュールの各テキスト情報を画像化してメディアレンダラ２に送信する。
【０１１１】
また、制御部３４は、明日予定されている「面接」のスケジュールに対してＢさんが参加予定の場合、このＢさんに対する電話発信を指示する機能を割り当てた「６」の数字キーを示すテキスト情報と、Ｂさんに対する電子メールの作成を指示する機能を割り当てた「７」の数字キーを示すテキスト情報とを画像化してメディアレンダラ２に送信する。
【０１１２】
また、制御部３４は、サーバ装置９から取り込んだ「○○大学入試試験速報」、「３２Ｖ型テレビ発売へ」等の本日のニュース情報と共に、これら各ニュース情報の詳細の取り込みを指示する機能を割り当てたキーを示すテキスト情報とを画像化してメディアレンダラ２に送信する。
【０１１３】
これにより、主にテキスト情報で形成されるスケジュール情報やニュース情報等を画像情報として取り扱うことができるため、静止画像しか取り扱うことができないメディアレンダラ２においても、上記テキスト情報を主体とするスケジュールやニュースの取り扱いを可能とすることができる。
【０１１４】
次に、図９のフローチャートのステップＳ５５では、制御部３４が、表示装置５に表示している情報の変更を指示するキー操作の有無を監視する。図１０に示す例の場合、操作部２６の「１」〜「５」の数字キーに対して、各ニュースの詳細の取り込みを指示する機能が割り当てられている。また、「０」の数字キーに対しては、カメラ部２８で撮像された本日の静止画像の表示を指示する機能が割り当てられている。
【０１１５】
このため、制御部３４は、ステップＳ５５において、操作部２６の「１」〜「５」の数字キー或いは「０」の数字キーの操作の有無を監視する。「１」〜「５」の数字キーの操作を検出した場合、制御部３４は、この操作された数字キーに対応するニュースの詳細をサーバ装置９から取り込むように通信回路２２を通信制御する。そして、サーバ装置９からニュースの詳細を取り込むと、主にテキスト情報となっている該ニュースの詳細を上述のように画像化処理し、メディアレンダラ２を介して表示装置５に表示する。
【０１１６】
また、ステップＳ５５において、操作部２６の「０」の数字キーの操作を検出した場合、制御部３４は、メモリ３３に記憶されている静止画像コンテンツ（動画像コンテンツを含めてもよい）のうち、本日の日付（図１０の例の場合、１２月１２日）が付された静止画像コンテンツを検出し、各静止画像コンテンツを１枚の静止画像に纏める画像化処理を行い、メディアレンダラ２を介して表示装置５に表示する。
【０１１７】
次に、図９のフローチャートのステップＳ５６では、制御部３４が、電話発信或いは電子メールの作成を指示するキー操作の有無を監視する。図１０に示す例の場合、操作部２６の「６」の数字キーに対して、明日の「面接」のスケジュールに参加予定のＢさんに対する電話発信を指示する機能が割り当てられ、また、「７」の数字キーに対して、Ｂさんに対する電子メールの作成を指示する機能が割り当てられている。
【０１１８】
このため、制御部３４は、ステップＳ５６において、操作部２６の「６」の数字キー或いは「７」の数字キーの操作の有無を監視する。「６」の数字キーの操作を検出した場合、制御部３４は、ステップＳ５９に処理を進め、メモリ３３に記憶されている電話帳からＢさんの電話番号を検出し、この検出した電話番号に電話発信を行うように通信回路２２を通信制御する。同様に、「７」の数字キーの操作を検出した場合、制御部３４は、ステップＳ５９に処理を進め、メモリ３３に記憶されている電話帳からＢさんの電子メールアドレスを検出し、この検出した電子メールアドレスを入力した電子メール作成画面を、当該携帯電話機１の表示部２５に表示制御する。これにより、当該携帯電話機１のユーザは、スケジュールに対する参加者に対して簡単に連絡を取ることができる。
【０１１９】
次に、ステップＳ５７では、制御部３４が、表示装置５に対する表示終了を指示する機能が割り当てられたキー操作の有無を監視する。図１０に示す例の場合、制御部３４は、クリアキーに対して表示装置５に対する表示終了を指示する機能を割り当てている。このため、制御部３４は、ステップＳ５７において、このクリアキーが操作されたか否かを判別する。そして、このクリアキーのキー操作を検出した場合、制御部３４はステップＳ５８に処理を進め、メディアレンダラ２に対して表示終了要求を送信するように近距離無線通信部３２を制御して、この図９のフローチャートに示す全処理を終了する。
【０１２０】
メディアレンダラ２の制御部１４は、携帯電話機１から表示終了要求を受信すると、表示装置５に表示している静止画像の表示を終了制御する。これにより、ユーザが携帯電話機１のクリアキーを操作したタイミングで、表示装置５に対する上記各情報の表示が終了することとなる。
【０１２１】
［実施の形態の効果］
以上の説明から明らかなように、この実施の形態の情報処理システムは、携帯電話機１が、電話帳に登録されている情報、スケジュール帳に登録されている情報、メモリ３３に記憶されている電子メールコンテンツや静止画像コンテンツ等の種類の異なる情報を１枚の静止画像に纏めて画像化処理する。そして、この画像化処理により形成した静止画像を、メディアレンダラ２に送信し、該メディアレンダラ２を介して表示装置５に表示する。
【０１２２】
これにより、ユーザにより入力されたスケジュール情報や、発着信した電子メールの電子メール情報等のテキスト情報も画像情報として取り扱うことができるため、例えばＤＬＮＡガイドラインに準拠したシステムのように、テキスト情報を取り扱うことが困難なシステムにおいても、該テキスト情報の取り扱いを可能とすることができる。
【０１２３】
［変形例］
上述の実施の形態の説明では、本発明に対して携帯電話機を用いることとしたが、この携帯電話機の他、ＰＨＳ電話機（PHS：Personal Handyphone System）、ＰＤＡ装置（PDA：Personal Digital Assistant）、ノート型のパーソナルコンピュータ装置等の携帯機器を用いてもよい。いずれの場合でも、上述と同じ効果を得ることができる。
【０１２４】
最後に、上述の実施の形態の説明は、本発明の一例である。このため、本発明は上述の実施の形態に限定されることはなく、本発明に係る技術的思想を逸脱しない範囲であれば、設計等に応じて種々の変更が可能であることは勿論であることを付け加えておく。
【図面の簡単な説明】
【０１２５】
【図１】本発明を適用した実施の形態となる情報処理システムのシステム構成を示す図である。
【図２】実施の形態の情報処理システムで用いられる携帯電話機のブロック図である。
【図３】実施の形態の情報処理システムで用いられる携帯電話機の電話着信時における動作の流れを示すフローチャートである。
【図４】実施の形態の情報処理システムの電話着信時における表示例を示す図である。
【図５】実施の形態の情報処理システムで用いられる携帯電話機の電子メールの着信時における動作の流れを示すフローチャートである。
【図６】実施の形態の情報処理システムの電子メールの着信時における表示例を示す図である。
【図７】実施の形態の情報処理システムで用いられる携帯電話機のスケジュール通知時における動作の流れを示すフローチャートである。
【図８】実施の形態の情報処理システムのスケジュール通知時における表示例を示す図である。
【図９】実施の形態の情報処理システムで用いられる携帯電話機の充電時における動作の流れを示すフローチャートである。
【図１０】実施の形態の情報処理システムで用いられる携帯電話機の充電時における表示例を示す図である。
【符号の説明】
【０１２６】
１  携帯電話機、２  メディアレンダラ、３  ホームネットワーク（家庭内ＬＡＮ）、４  近距離無線通信ＡＰ、５  表示装置、６  携帯電話機の基地局、７  携帯電話機の通信事業者のコミュニケーションネットワーク、８  インターネット、９  サーバ装置  １１  メディアレンダラの通信部、１２  メディアレンダラの画像情報処理部、１３  メディアレンダラのメモリ、１４  メディアレンダラの制御部、２１  携帯電話機のアンテナ、２２  通信回路、２３  スピーカ部、２４  マイクロホン部、２５  表示部、２６  操作部、２７  発光部（ＬＥＤ）、２８  カメラ部、２９  バイブレーションユニット、３０  タイマ、３１  近距離無線通信アンテナ、３２  近距離無線通信部、３３  メモリ、３４  制御部
【図１】
2008294716.tif 000003
【図２】
2008294716.tif 000004
【図３】
2008294716.tif 000005
【図４】
2008294716.tif 000006
【図５】
2008294716.tif 000007
【図６】
2008294716.tif 000008
【図７】
2008294716.tif 000009
【図８】
2008294716.tif 000010
【図９】
2008294716.tif 000011
【図１０】
2008294716.tif 000012